(57)【要約】【課題】  たとえばＰＯＣＴにおいてより迅速かつより正確に測定を行うことが可能な測定装置、情報管理装置、測定方法および情報管理方法を提供すること。【解決手段】  本発明に係る測定装置は、患者から採取した検体を対象とした測定処理を行う測定手段と、測定手段によって得られた測定データを記憶する記憶手段と、測定データを表示する表示部３と、測定手段、記憶手段および表示部３を制御する制御手段と、を備えており、記憶手段は、複数の測定データと、これらの測定データに付随する複数の患者ＩＤと、を記憶し、制御手段は、表示部３に、各々が測定データを表示しうる複数の測定データ表示領域３７１を設定し、かつ、複数の患者ＩＤから選択された特定患者ＩＤが付随する測定データに対応する測定データ表示領域３７１に当該測定データを表示させ、かつ特定患者ＩＤ以外の患者ＩＤが付随する測定データに対応する測定データ表示領域３７１には、測定データを表示させない。【選択図】  図５
2015165365.tif 000002
【特許請求の範囲】
【請求項１】
患者から採取した検体を対象とした測定処理を行う測定手段と、
前記測定手段によって得られた測定データを記憶する記憶手段と、
前記測定データを表示する表示手段と、
前記測定手段、前記記憶手段および前記表示手段を制御する制御手段と、を備えており、
前記記憶手段は、複数の前記測定データと、これらの測定データに付随する複数の患者ＩＤと、を記憶し、
前記制御手段は、前記表示手段に、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない、測定装置。
【請求項２】
前記制御手段は、前記表示手段に、前記特定患者ＩＤ以外の前記患者ＩＤが付随する前記測定データに対応する前記測定データ表示領域には、当該患者ＩＤが前記特定患者ＩＤとは異なることを示唆する非特定患者表示を表示させる、請求項１に記載の測定装置。
【請求項３】
前記制御手段は、前記複数の測定データ表示領域を対応する前記測定データが測定された時系列にしたがって前記表示手段に表示させる、請求項１または２に記載の測定装置。
【請求項４】
前記制御手段は、前記非特定患者表示が表示される前記測定データ表示領域に、対応する前記測定データの測定日時および測定時間帯から選択された少なくとも一の情報を前記表示手段に表示させる、請求項１ないし３のいずれかに記載の測定装置。
【請求項５】
前記測定データが、測定結果値を含む、請求項１ないし４のいずれかに記載の測定装置。
【請求項６】
前記測定データが、数値で表されるものである、請求項１ないし５のいずれかに記載の測定装置。
【請求項７】
前記測定データが、血糖値である、請求項１ないし６のいずれかに記載の測定装置。
【請求項８】
患者から採取した検体を対象とした測定データを記憶する記憶手段と、
前記測定データを表示する表示手段と、
前記記憶手段および前記表示手段を制御する制御手段と、を備えており、
前記記憶手段は、複数の前記測定データと、これらの測定データに付随する複数の患者ＩＤと、を記憶し、
前記制御手段は、前記表示手段に、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない、情報管理装置。
【請求項９】
前記制御手段は、前記表示手段に、前記特定患者ＩＤ以外の前記患者ＩＤが付随する前記測定データに対応する前記測定データ表示領域には、当該患者ＩＤが前記特定患者ＩＤとは異なることを示唆する非特定患者表示を表示させる、請求項８に記載の情報管理装置。
【請求項１０】
前記制御手段は、前記複数の測定データ表示領域を対応する前記測定データが測定された時系列にしたがって前記表示手段に表示させる、請求項８または９に記載の情報管理装置。
【請求項１１】
前記制御手段は、前記非特定患者表示が表示される前記測定データ表示領域に、対応する前記測定データの測定日時および測定時間帯から選択された少なくとも一の情報を前記表示手段に表示させる、請求項８ないし１０のいずれかに記載の情報管理装置。
【請求項１２】
前記測定データが、測定結果値を含む、請求項８ないし１１のいずれかに記載の情報管理装置。
【請求項１３】
前記測定データが、数値で表されるものである、請求項８ないし１２のいずれかに記載の情報管理装置。
【請求項１４】
前記測定データが、血糖値である、請求項８ないし１３のいずれかに記載の情報管理装置。
【請求項１５】
患者から採取した検体を対象とした測定処理を行う測定工程と、
前記測定手段によって得られた測定データを記憶する記憶工程と、
前記測定データを表示する表示工程と、を備えており、
前記記憶工程においては、複数の前記測定データと、これらの測定データに付随する複数の患者ＩＤと、を記憶し、
前記表示工程においては、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない、測定方法。
【請求項１６】
患者から採取した検体を対象とした測定処理によって得られた測定データを記憶する記憶工程と、
前記測定データを表示する表示工程と、を備えており、
前記記憶工程においては、複数の前記測定データと、これらの測定データに付随する複数の患者ＩＤと、を記憶し、
前記表示工程においては、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない、情報管理方法。
【発明の詳細な説明】
【技術分野】
【０００１】
本発明は、生体由来の検体を対象とした測定を行う測定装置、情報管理装置、測定方法および情報管理方法に関する。
【背景技術】
【０００２】
生体由来の検体を対象とした測定は、人間をはじめとする生体の健康を維持する手段として広く実施されている。また、Point of Care Testing（以下、ＰＯＣＴ）は、患者の傍らで医療従事者が行う検査を総称するものであり、主に、診療所、病院などにおいてなされる。このＰＯＣＴに用いられる測定装置は、測定者として複数の医療従事者が想定され、また、複数の患者に由来する検体が測定対象となる。個人が携帯する専用の測定器の場合、測定者および患者が固定される。これに対し、ＰＯＣＴにおいては、測定者および患者がそれぞれ複数存在する。また、使用する試験片の種類も相対的に増加する。
【０００３】
特許文献１には、複数の患者を対象とした測定を行うことが意図された測定装置が開示されている。同文献に開示された測定装置は、複数の測定データとこれらの測定データに付随する複数の患者ＩＤとを記憶可能である。また、前記測定装置は、複数の測定データをこれらに付随する患者ＩＤとともに、表示部に一覧表示するモードを有する。
【０００４】
しかしながら、ＰＯＣＴにおいては、使用者である医療従事者が担当する複数の患者の測定データを閲覧する必要がある。その際、前記測定装置によって測定されたすべての患者の測定データが羅列されると、医療従事者は、注目したい患者の測定データを、それ以外の患者の測定データから区別しつつ、数値を確認することが強いられる。
【先行技術文献】
【特許文献】
【０００５】
【特許文献１】特開２００８−１２１６２号公報
【発明の概要】
【発明が解決しようとする課題】
【０００６】
本発明は、上記した事情のもとで考え出されたものであって、複数の患者の測定データをより適切に確認することが可能な測定装置、情報管理装置、測定方法および情報管理方法を提供することをその課題とする。
【課題を解決するための手段】
【０００７】
本発明の第一の側面によって提供される測定装置は、患者から採取した検体を対象とした測定処理を行う測定手段と、前記測定手段によって得られた測定データを記憶する記憶手段と、前記測定データを表示する表示手段と、前記測定手段、前記記憶手段および前記表示手段を制御する制御手段と、を備えており、前記記憶手段は、複数の前記測定データと、これらの測定データに付随する複数の患者ＩＤと、を記憶し、前記制御手段は、前記表示手段に、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない。
【０００８】
本発明において、「測定データ」は、例えば、測定結果を表現するデータを意味し、例えば、血糖値等の測定結果値を含む。このような「測定データ」が具体的にどのような表現形態によって扱われるかは、特に限定されないが、例えば、数値や、数値と同等に定量的あるいは定性的に状態量を表す機能を有する表記形態で扱われ得る。なお、「測定データ」が数値で表されるものである場合に、本発明の効果が、特に明確になる。また、本発明において「患者ＩＤ」とは、個々の患者を識別しうる情報であればよく、たとえば患者名、ニックネーム、特定の病院などにおいて個々に付された番号やコードなどが挙げられる。
【０００９】
本発明の好ましい実施の形態においては、前記制御手段は、前記表示手段に、前記特定患者ＩＤ以外の前記患者ＩＤが付随する前記測定データに対応する前記測定データ表示領域には、当該患者ＩＤが前記特定患者ＩＤとは異なることを示唆する非特定患者表示を表示させる。
【００１０】
本発明の好ましい実施の形態においては、前記制御手段は、前記複数の測定データ表示領域を対応する前記測定データが測定された時系列にしたがって前記表示手段に表示させる。
【００１１】
本発明の好ましい実施の形態においては、前記制御手段は、前記非特定患者表示が表示される前記測定データ表示領域に、対応する前記測定データの測定日時および測定時間帯から選択された少なくとも一の情報を前記表示手段に表示させる。
【００１２】
本発明の好ましい実施の形態においては、前記測定データが、測定結果値を含む。
【００１３】
本発明の好ましい実施の形態においては、前記測定データが、数値で表されるものである。
【００１４】
本発明の好ましい実施の形態においては、前記測定データが、血糖値である。
【００１５】
本発明の第二の側面によって提供される情報管理装置は、患者から採取した検体を対象とした測定データを記憶する記憶手段と、前記測定データを表示する表示手段と、前記記憶手段および前記表示手段を制御する制御手段と、を備えており、前記記憶手段は、複数の前記測定データと、これらの測定データに付随する複数の患者ＩＤと、を記憶し、前記制御手段は、前記表示手段に、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない。
【００１６】
本発明の好ましい実施の形態においては、前記制御手段は、前記表示手段に、前記特定患者ＩＤ以外の前記患者ＩＤが付随する前記測定データに対応する前記測定データ表示領域には、当該患者ＩＤが前記特定患者ＩＤとは異なることを示唆する非特定患者表示を表示させる。
【００１７】
本発明の好ましい実施の形態においては、前記制御手段は、前記複数の測定データ表示領域を対応する前記測定データが測定された時系列にしたがって前記表示手段に表示させる。
【００１８】
本発明の好ましい実施の形態においては、前記制御手段は、前記非特定患者表示が表示される前記測定データ表示領域に、対応する前記測定データの測定日時および測定時間帯から選択された少なくとも一の情報を前記表示手段に表示させる。
【００１９】
本発明の好ましい実施の形態においては、前記測定データが、測定結果値を含む。
【００２０】
本発明の好ましい実施の形態においては、前記測定データが、数値で表されるものである。
【００２１】
本発明の好ましい実施の形態においては、前記測定データが、血糖値である。
【００２２】
本発明の第三の側面によって提供される測定方法は、患者から採取した検体を対象とした測定処理を行う測定工程と、前記測定手段によって得られた測定データを記憶する記憶工程と、前記測定データを表示する表示工程と、を備えており、前記記憶工程においては、複数の前記測定データと、これらの測定データに付随する複数の患者ＩＤと、を記憶し、前記表示工程においては、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない。
【００２３】
本発明の第四の側面によって提供される情報管理方法は、患者から採取した検体を対象とした測定処理によって得られた測定データを記憶する記憶工程と、前記測定データを表示する表示工程と、を備えており、前記記憶工程においては、複数の前記測定データと、これらの測定データに付随する複数の患者ＩＤと、を記憶し、前記表示工程においては、各々が前記測定データを表示しうる複数の測定データ表示領域を設定し、かつ、前記複数の患者ＩＤから選択された特定患者ＩＤが付随する前記測定データに対応する前記測定データ表示領域に当該測定データを表示させ、かつ前記特定患者ＩＤ以外の前記患者ＩＤが付随する前記測定データに対応する前記測定データ表示領域には、前記測定データを表示させない。
【００２４】
本発明の好ましい実施の形態においては、前記表示工程において、前記特定患者ＩＤ以外の前記患者ＩＤが付随する前記測定データに対応する前記測定データ表示領域には、当該患者ＩＤが前記特定患者ＩＤとは異なることを示唆する非特定患者表示を表示させる。
【００２５】
本発明の好ましい実施の形態においては、前記表示工程において、前記複数の測定データ表示領域を対応する前記測定データが測定された時系列にしたがって表示させる。
【００２６】
本発明の好ましい実施の形態においては、前記表示工程において、前記非特定患者表示が表示される前記測定データ表示領域に、対応する前記測定データの測定日時および測定時間帯から選択された少なくとも一の情報を表示させる。
【００２７】
本発明の好ましい実施の形態においては、前記測定データが、測定結果値を含む。
【００２８】
本発明の好ましい実施の形態においては、前記測定データが、数値で表されるものである。
【００２９】
本発明の好ましい実施の形態においては、前記測定データが、血糖値である。
【発明の効果】
【００３０】
本発明の一態様によれば、前記複数の患者の前記測定データを前記表示手段表示させた状態で、前記特定患者ＩＤとして選択した患者の前記測定データのみを確認することが可能である。前記複数の患者の前記測定データが表示されていることから、使用者である医療従事者は、自己が担当する複数の患者が前記表示手段に表示された通りに存在することを俯瞰しつつ、前記特定患者ＩＤの患者の前記測定データを容易に注視することが可能である。したがって、複数の患者の前記測定データをより適切に確認することができる。
【００３１】
本発明のその他の特徴および利点は、添付図面を参照して以下に行う詳細な説明によって、より明らかとなろう。
【図面の簡単な説明】
【００３２】
【図１】本発明に係る測定装置の一例を示す斜視図である。
【図２】本発明に係る測定装置の一例を示す斜視図である。
【図３】本発明に係る測定装置の一例を示すブロック構成図である。
【図４】本発明に係る測定装置の一例の動作を示すフローチャートである。
【図５】本発明に係る測定装置の一例の動作における表示部を示す説明図である。
【図６】本発明に係る測定装置の一例の動作における表示部を示す説明図である。
【図７】本発明に係る測定装置の一例の動作における表示部を示す説明図である。
【図８】本発明に係る測定装置の一例の動作における表示部を示す説明図である。
【図９】本発明に係る測定装置の一例の動作における表示部を示す説明図である。
【図１０】本発明に係る測定装置の一例の動作を示すフローチャートである。
【図１１】本発明に係る測定装置の一例の動作における表示部を示す説明図である。
【図１２】本発明に係る測定装置の一例の動作における表示部を示す説明図である。
【図１３】本発明に係る測定装置の一例の動作における表示部を示す説明図である。
【図１４】本発明に係る測定装置の一例の動作における表示部を示す説明図である。
【図１５】本発明に係る測定装置の一例の動作における表示部を示す説明図である。
【図１６】本発明に係る測定装置の一例の動作における表示部を示す説明図である。
【図１７】本発明に係る測定装置の一例の動作における表示部を示す説明図である。
【図１８】本発明に係る情報管理装置の一例を示す斜視図である。
【図１９】本発明に係る情報管理装置の一例を示すブロック構成図である。
【図２０】本発明に係る情報管理装置の一例の動作を示すフローチャートである。
【図２１】本発明に係る情報管理装置の一例の動作における表示部を示す説明図である。
【図２２】本発明に係る情報管理装置の一例の動作における表示部を示す説明図である。
【図２３】本発明に係る情報管理装置の一例の動作における表示部を示す説明図である。
【発明を実施するための形態】
【００３３】
以下、本発明の好ましい実施の形態につき、図面を参照して具体的に説明する。
【００３４】
図１〜図３は、本発明に係る測定装置の一例を示している。本実施形態の測定装置Ａは、測定部１、バーコード読み取り部２、表示部３、操作ボタン４、ＵＳＢポート５１、無線通信部５２、制御部６および記憶部７を備えている。測定装置Ａは、ＰＯＣＴに用いられるものである。本実施形態においては、測定装置Ａが試験片８が装填されることにより、血糖値を測定する構成であること例として以下に説明する。
【００３５】
測定装置Ａは、医療従事者などの測定者が手にとって測定作業を行える程度の大きさおよび形に形成されており、たとえば樹脂からなる筐体に測定部１、バーコード読み取り部２、表示部３、操作ボタン４、ＵＳＢポート５１、無線通信部５２、制御部６および記憶部７が適宜取り付けまたは内蔵された構成とされている。
【００３６】
測定部１は、生体または生体由来の検体を対象とした測定処理を行う。本実施形態においては、測定部１は、患者から採取された血液を検体とした血糖値測定を行う。測定部１は、試験片挿入部１１を有している。試験片挿入部１１は、前記筐体の一部が開口されたものであり、試験片８が挿入される。前記開口の奥方には、たとえば試験片８の挿入を検出するセンサ（図示略）が設けられている。なお、試験片８は、たとえば電極８１および点着部８２を有している。電極８１は、測定装置Ａの接続端子（図示略）と接触することにより、測定部１と導通する部分である。点着部８２は、検体としての血液が点着される部分である。また、試験片８には、試薬（図示略）が設けられている。血糖値測定を行う場合、前記試薬は、たとえば酵素であるグルコースオキシターゼと電子受容体としてのフェリシアン化カリウムなどからなる。このような構成により、測定部１は、試験片８に点着された血液を検体として、公知の手法により血糖値測定処理を行う。
【００３７】
バーコード読み取り部２は、本発明で言う入力手段の一例に相当する。測定装置Ａは、前記測定処理に付随し、かつ複数の属性のいずれかに帰属するデータが入力される。前記複数の属性を例示すると、本実施形態においては、医療従事者を識別する測定者ＩＤ、患者を識別する患者ＩＤ、前記試験片を識別する試験片ＩＤ、前記測定処理のための精度管理に用いられる精度管理物質を識別する精度管理物質ＩＤ、および個々の測定処理を識別する測定処理ＩＤが挙げられる。そして、本実施形態においては、これらのデータの入力が、バーコード読み取り部２によってなされる。すなわち、入力されるべきデータがカード、リストバンド、梱包箱、紙などの媒体に印刷されたバーコードとして与えられ、バーコード読み取り部２がこれらのバーコードを読み取る。ここで言うバーコードとしては、縞模様状の複数の線によって構成される一次元バーコードや、縦横に配列された複数のドットによって構成される二次元コードが代表例として挙げられる。
【００３８】
バーコード読み取り部２は、たとえば、発光部、受光部およびドライバＩＣを備える。前記発光部は、読取りのための光を出射するものであり、たとえば赤色光を含む線状光を出射する。前記受光部は、バーコードが付された前記媒体によって反射された反射光を受光するものであり、複数の受光素子が列状またはマトリクス状に配置された構成とされている。前記ドライバＩＣは、前記受光部からの出力信号に基づいて、バーコードを認識するための画像データを形成する。あるいは、前記ドライバＩＣは、前記画像データを画像解析することにより、バーコードに変換されていたデータをデジタル数値データとして出力する構成であってもよい。また、この数値化機能は、制御部６が担ってもよい。
【００３９】
なお、本発明で言う入力手段は、バーコード読み取り部２に限定されず、たとえば携帯型電話機に備えられるテンキーと称される複数のキーを具備した構成であってもよい。また、バーコードを読み取り可能な構成と複数のキーを具備した構成とを兼ね備えたものであってもよい。
【００４０】
表示部３は、使用者（測定者）に視覚的に情報を提供するものであり、たとえばマトリクス状に配置された複数の画素を有する液晶ディスプレイや有機ＥＬディスプレイなどが好適に用いられる。
【００４１】
操作ボタン４は、使用者（測定者）が測定装置Ａの動作に対して意思決定を与えるための操作に供する部位である。本実施形態においては、操作ボタン４は、たとえば方向ボタン４１、方向ボタン４２および決定ボタン４３によって構成されている。方向ボタン４１および方向ボタン４２は、表示部３において左および右を示唆する操作を行うためのものである。決定ボタン４３は、表示部３の表示によって示唆された動作や処理を許可する操作を行うためのものである。
【００４２】
ＵＳＢポート５１および無線通信部５２は、測定装置Ａと他の機器とのインターフェースを担う部位である。他の機器としては、たとえば病院に設置されたより大型かつ多機能の統合測定ステーションやＰＣなどが挙げられる。ＵＳＢポート５１は、ＵＳＢ規格に準拠した有線データ通信を実現するためのポートである。無線通信部５２は、無線を用いたデータ通信を行うものである。無線の種類は特に限定されないが、本実施形態においては電磁波を利用した無線の近距離データ通信を行うＲＦＩＤが採用された場合を例に説明する。このような例の場合、無線通信部５２は、たとえばコイルアンテナやドライバＩＣなどを具備している。測定や測定の結果、ＩＤに関わる情報のやりとりを部分的にまたは一括して、またはリアルタイムに行うための構成となっていてもよい。
【００４３】
制御部６は、測定装置Ａの動作を制御するためのものであり、典型的にはＣＰＵからなる。制御部６は、記憶部７に記憶されたプログラムに基づいて測定部１、バーコード読み取り部２、表示部３、ＵＳＢポート５１および無線通信部５２の動作を制御する。また、制御部６は、操作ボタン４からの入力信号を受ける。なお、本実施形態においては、制御部６が測定装置Ａの主な動作を制御する前提で、以降の説明を行うが、本発明はこれに限定されない。本実施形態において制御部６が行う機能を、測定部１、バーコード読み取り部２、表示部３などの各部に備えられた別のＣＰＵなどが実行する構成であってもよい。
【００４４】
記憶部７は、プログラム領域７１およびデータ領域７２を有しており、たとえばシリコンメモリからなる揮発性メモリや不揮発性メモリが適宜採用される。プログラム領域７１は、測定装置Ａの動作を実現するプログラムを記憶する領域である。データ領域７２は、測定に付随するデータを記憶するものである。
【００４５】
次に、測定装置Ａの動作について、以下に説明する。
【００４６】
測定装置Ａの動作の代表例においては、入力工程、測定工程、記憶工程および表示工程を実行する。また、以下に説明する工程以外にも、測定装置Ａは、動作に関する諸条件項目を設定する設定工程などを適宜実行可能に構成されている。
【００４７】
たとえば、前記設定処理によって必要とされる初期設定などを終えた測定装置Ａは、電源投入されると制御部６の指令により前記入力工程を実行する状態とされる。この入力工程においては、患者ＩＤが入力される。上述した通り患者ＩＤは、個々の患者を識別しうる情報であればよく特に限定されないが、以下においては患者ＩＤが複数桁の英数字含む場合を例に説明する。また、記憶部７のデータ領域７２には、患者ＩＤに含まれる複数桁の英数字などからなる情報と、これに対応する患者名とが含まれたデータテーブルが、予め記憶されている。なお、本例とは異なり、患者ＩＤが複数桁の英数字情報とともに患者名を含んでもよい。また、入力工程においては、患者ＩＤに加えて、他の情報を付加的に入力してもよい。以下においては、測定者ＩＤおよび試験片ＩＤを付加的に入力する場合を例に説明する。これらの属性としては、たとえば、測定者ＩＤ、試験片ＩＤおよび個々の測定処理を識別するためのオーダーＩＤが挙げられる。ただし、本発明に関し、これら付加的な他の情報は、入力されなくてもよい。
【００４８】
前記入力工程における測定者ＩＤ、患者ＩＤおよび試験片ＩＤの入力は、たとえば、バーコード読み取り部２から出射された赤色光を、測定者ＩＤ、患者ＩＤおよび試験片ＩＤのすくなくともいずれかを含むバーコードが付されたカードに照射する。制御部６は、バーコード読み取り部２に当該バーコードの読み取り処理を行わせる。そして、制御部６は、バーコード読み取り部２から送られたデジタル数値データを、測定者ＩＤ、患者ＩＤおよび試験片ＩＤとして記憶部７のデータ領域７２に格納する。以上より、入力工程が完了する。
【００４９】
前記測定工程においては、たとえば測定装置Ａへの試験片８の挿入、試験片８の点着部８２への検体の点着を行う。測定部１は、試験片８からの出力信号に基づき、血糖値の分析を行う。制御部６は、測定部１からの分析結果信号を受けることにより、当該検体の血糖値を測定データとして得る。
【００５０】
以上のように、ある患者の検体について前記測定工程を行うと、測定装置Ａには、１つの測定データとしての血糖値が得られる。そして、記憶工程においては、制御部６は、この血糖値を患者ＩＤと付加的なデータである測定者ＩＤ、試験片ＩＤ、さらにはオーダーＩＤなどとあわせて、記憶部７のデータ領域７２に格納する。複数の検体について、前記入力工程、前記測定工程および前記記憶工程を繰り返すことにより、測定装置Ａの記憶部７のデータ領域７２には、複数の測定データが格納される。ある程度の数の検体を測定した後は、測定者は、ＵＳＢポート５１または無線通信部５２を用いて、たとえば病院に設置されたより大型かつ多機能の統合測定ステーションやＰＣなどにこれらの測定結果を転送する。これらの統合測定ステーションやＰＣにおいては、多数の測定結果が運用ルールにしたがって管理され、また、各患者の健康維持に活用される。
【００５１】
なお、ある測定処理を終えて、次の測定処理を行う際には、複数の属性に帰属するデータをすべて維持してもよいし、いずれかを初期化してもよいし、すべてを初期化してもよい。たとえば、複数の患者の検体について一人の測定者が測定処理を行う場合、測定者ＩＤを維持する。一方、一連の測定を終了し、次の測定者が不明である場合、複数の属性に帰属するデータのすべてを初期化しておくことが好ましい。このような選択は、測定装置Ａの設定作業によって適宜選択できることが望ましい。
【００５２】
また、測定装置Ａを用いたＰＯＣＴにおいては、測定者である医療従事者が測定装置Ａを手にとって、担当する複数の患者の血糖値を手軽に確認したいという要請がある。図４は、測定装置Ａにおいて複数の測定データを閲覧する表示工程のフローチャートを示している。本処理を開始する際には、上述した測定処理（ステップＳ３０）が繰り返し実行され、測定装置Ａの記憶部７のデータ領域７２には複数の測定データとしての血糖値と、これらに付随する複数の患者ＩＤが記憶されている。
【００５３】
測定データの閲覧処理が開始されると（ステップＳ６０）、制御部６は、表示部３に図５に示す内容を表示させる。この表示を実現するための処理を以下に説明する。なお、ここで説明する複数の処理の実行順などは、説明の便宜として構築された一例である。これらの処理の実行順序が適宜変更されてもよいし、複数の処理が並列して実行されてもよい。
【００５４】
まず、制御部６は、複数の患者ＩＤから閲覧を希望する患者ＩＤを特定患者ＩＤとして使用者に選択させる（ステップＳ６１）。この選択は、複数の患者ＩＤがリスト表示された画面において、操作ボタン４による操作によって任意の患者ＩＤが選択される手法によって行ってもよい。あるいは、患者の名前や患者ＩＤを直接入力してもよい。本実施形態においては、制御部６は、表示部３に特定患者ＩＤ表示領域３７０を設定し、特定患者ＩＤ表示領域３７０に選択された特定患者ＩＤを表示する。図示された例においては、特定患者ＩＤ表示領域３７０は、表示部３の上端寄りに配置されており、横長の矩形状領域である。そして、特定患者ＩＤ表示領域３７０には、特定患者ＩＤである複数桁の英数字と、これに加えて前記データテーブルを参照することによって選択された特定患者ＩＤに該当する患者名が表示されている。
【００５５】
次いで、制御部６は、表示部３に複数の測定データ表示領域３７１を設定する（ステップＳ６２）。測定データ表示領域３７１は、１つの測定データとしての血糖値を表示しうる領域である。すなわち、測定データ表示領域３７１は、１つの血糖値を使用者が視認可能な態様で表示しうる大きさおよび形を有している。本実施形態においては、測定データ表示領域３７１は、表示部３の全幅におよぶ横長の矩形状領域とされている。複数の測定データ表示領域３７１は、特定患者ＩＤ表示領域３７０の直下から上下方向に配列されている。
【００５６】
なお、測定データ表示領域３７１は、１つの測定データとしての血糖値を表示しうる領域であればよく、測定データ以外の項目が表示されてもよい。図５に示す例においては、特定患者ＩＤの測定データ表示領域３７１には、測定データとしての血糖値に加えて、測定日時と、「昼食後」、「朝食後」などの測定時間帯とが表示されている。
【００５７】
次いで、制御部６は表示すべき複数の測定データの表示を順次行う（ステップＳ６３〜Ｓ６６）。本例においては、制御部６は、ある測定データの患者ＩＤが特定患者ＩＤであるかを判定する（ステップＳ６３）。当該患者ＩＤが特定患者ＩＤと一致する場合（ステップＳ６３：Ｙｅｓ）、制御部６は、測定データ表示領域３７１に当該測定データを表示する（ステップＳ６４）。図５において、もっとも上位に配置された測定データ表示領域３７１には、患者ＩＤが特定患者ＩＤと一致した測定データが、数値として表示されている。
【００５８】
一方、当該患者ＩＤが特定患者ＩＤと一致しない場合（ステップＳ６３：Ｎｏ）、制御部６は、測定データ表示領域３７１に非特定患者表示３７２を表示する（ステップＳ６５）。図５において、上から２番目に位置する特定患者ＩＤ表示領域３７０には、非特定患者表示３７２の一例が表示されている。この非特定患者表示３７２は、「別患者」の文字を含むことにより、この特定患者ＩＤ表示領域３７０の患者ＩＤが特定患者ＩＤとは異なることを示唆している。なお、非特定患者表示３７２は、ある特定患者ＩＤ表示領域３７０の患者ＩＤが特定患者ＩＤとは異なることを示唆する構成であればよく、別の文言を用いたり、図柄によって示唆するものであってもよい。また、本実施形態においては、特定患者ＩＤとは異なる患者ＩＤに対応する測定データ表示領域３７１に測定日時が表示されている。
【００５９】
ある測定データについて、ステップＳ６３〜ステップＳ６５を実行すると、制御部６は、表示すべき複数の測定データについての表示が完了したかを判定する（ステップＳ６６）。表示すべき測定データが残っている場合（ステップＳ６６：Ｎｏ）、制御部６は、残っている測定データについてステップＳ６３〜ステップＳ６５を実行する。表示すべき複数の測定データについての表示が完了した場合（ステップＳ６６：Ｙｅｓ）、制御部６は、測定データを閲覧する状態を構築する処理を完了する。このような処理によって、制御部６は、表示部３に図５に示す閲覧表示を実行させる。この処理を完了した後も、所定の操作が行われるまでの期間においては、制御部６は、表示部３を閲覧表示の状態に維持する。
【００６０】
図５に例示された閲覧表示の状態にある表示部３においては、４つの測定データ表示領域３７１が設定されている。この状態から使用者がたとえば操作ボタン４を用いた操作を行うことにより、表示部３の表示をスクロール可能な構成であってもよい。制御部６は、スクロール表示を実現するために、上述したステップＳ６２〜ステップＳ６６を適宜繰り返し実行する。
【００６１】
また、表示部３が閲覧表示状態にある場合に、たとえば操作ボタン４の操作によって特定患者ＩＤを変更可能な構成であってもよい。一例として、図５においては、図中でもっとも上位にある測定データ表示領域３７１がハイライトされている。いずれの測定データ表示領域３７１をハイライト状態とするかは、操作ボタン４の操作によって任意に移動選択可能とする。そして、ある患者ＩＤが特定患者ＩＤとして選択されている状態で、特定患者ＩＤ以外の他の患者ＩＤの測定データをハイライトし（図５における上から２番目の測定データ表示領域３７１）、これを選択決定する操作を操作ボタン４によって行う。これにより、上から２番目の測定データ表示領域３７１に該当する患者ＩＤが特定患者ＩＤとして選択される（ステップＳ６１と同義）。そして、制御部６は、上述したステップＳ６２〜ステップＳ６６を繰り返すことにより、図６に示す内容を表示部３に表示させる。図５において特定患者ＩＤであった測定データ表示領域３７１には、図６においては、非特定患者表示３７２が表示される。一方、図５において非特定患者表示３７２が表示されていた測定データ表示領域３７１には、測定データが表示される。
【００６２】
図５および図６に示す閲覧表示の他に、測定装置Ａは、図７に示す閲覧表示が可能な構成であってもよい。同図においては、制御部６は、表示部３に特定患者ＩＤの測定データ表示領域３７１のみを表示させ、特定患者ＩＤ以外の患者ＩＤの測定データ表示領域３７１が省略されている。この場合、すべての測定データ表示領域３７１には、測定データが表示されている。また、本例においては、すべての測定データ表示領域３７１に、測定日時および測定時間帯が表示されている。
【００６３】
なお、測定装置Ａにおいては、制御部６は、表示部３に１つの測定データのみを表示させる機能を具備してもよい。図８は、たとえば、測定処理（ステップＳ３０）を終えた直後に、この測定処理によって得られた測定データを示すモードとされた表示部３である。制御部６は、表示部３に測定結果表示領域３７を設定し、この測定結果表示領域３７に測定データを比較的大きな数字によって表示している。また、患者ＩＤと、その患者名が表示されている。この表示状態から、たとえば操作ボタン４による所定の操作を行うことにより、制御部６は、表示部３に図９に示すメニュー領域３０を表示させる。メニュー領域３０は、測定データが表示された時点のほか、測定装置Ａの操作の様々なステップにおいて任意に呼び出し可能であることが好ましい。
【００６４】
図９に示されたメニュー領域３０には、様々な項目が表示されている。たとえば「測定者ＩＤ」は、この測定データの測定者ＩＤを再入力するための項目である。この項目を選択実行すると、制御部６は、使用者に測定者ＩＤの入力を促すガイダンスを表示部３に表示させ、測定者ＩＤの入力処理を実行する。また、「センサーロット」は、この測定データの試験片ＩＤを再入力するための項目である。この項目を選択実行すると、制御部６は、使用者に試験片ＩＤの入力を促すガイダンスを表示部３に表示させ、試験片ＩＤの入力処理を実行する。一方、患者ＩＤに関する項目は、図９のメニュー領域３０には表示されていない。これは、患者ＩＤが入力された状態で測定が完了した測定データについては、患者ＩＤの変更処理が禁止された構成であることを意味する。
【００６５】
次に、測定装置Ａの作用について説明する。
【００６６】
本実施形態によれば、図５および図６に示すように、複数の患者の測定データを表示させた状態で、特定患者ＩＤとして選択した患者の測定データのみを確認することが可能である。複数の患者の測定データが表示されていることから、使用者である医療従事者は、自己が担当する複数の患者が表示部３に表示された通りに存在することを俯瞰しつつ、特定患者ＩＤの患者の測定データを容易に注視することが可能である。したがって、複数の患者の測定データをより適切に確認することができる。
【００６７】
特定患者ＩＤの測定データ表示領域３７１には、測定データを表示させる一方、特定患者ＩＤ以外の患者ＩＤの測定データ表示領域３７１には、非特定患者表示３７２を表示させる。これにより、複数の測定データ表示領域３７１が設定された表示部３において、いずれの測定データ表示領域３７１が注目すべき特定患者ＩＤのものであり、いずれの測定データ表示領域３７１が注目を必要としない患者ＩＤのものであるかを、ひと目で理解することができる。
【００６８】
測定データ表示領域３７１に測定日時や測定時間帯を表示することにより、注目している測定データが測定された時間や状況を的確に把握することができる。また、特に、非特定患者表示３７２が表示された測定データ表示領域３７１にも測定日時を表示することは、たとえば、使用者が、特定患者ＩＤの測定データに注目しつつ、当該測定データと近接する日時に測定された別の患者の測定データが存在することなどを速やかに把握することができる点で、有用である。また、複数の測定データ表示領域３７１を時系列で表示することは、複数の測定データを漏れ無く確認するのに都合がよい。
【００６９】
図８および図９に示すように、患者ＩＤが入力された測定データについては患者ＩＤの再入力を禁止することにより、使用者の過ちによって、測定データに付随すべき患者名（患者ＩＤ）が誤登録されることを防止することができる。
【００７０】
図１０は、測定装置Ａの動作の他の例を示すフローチャートである。本例においても、上述した入力工程（ステップＳ１０）が実行される。本例においては、測定工程（ステップＳ３０）に移行する処理が上述した例と異なっている。
【００７１】
本例においては、入力工程（ステップＳ１０）の実行において、試験片８の挿入を検出するステップＳ４０が、常時、あるいは所定の時間間隔をおいて割り込み処理される。入力工程（ステップＳ１０）の実行中、すなわち患者ＩＤなどが未入力の状態であっても、試験片８が試験片挿入部１１に挿入されると（ステップＳ４０：Ｙｅｓ）、制御部６は測定処理（ステップＳ３０）に移行する。試験片８の挿入が検出されない場合は（ステップＳ４０：Ｎｏ）、ステップＳ１１〜ステップＳ１５を実行する。
【００７２】
試験片８が試験片挿入部１１に挿入され（ステップＳ４０：Ｙｅｓ）、測定処理（ステップＳ３０）に移行する際には、制御部６の指令によって自動的に移行してもよいし、測定者の許可を要求してもよい。図１１は、測定者の許可を要求する場合の表示部３の一例を示している。この状態においては、患者ＩＤをはじめとするいずれかのデータが未入力の状態で試験片８が挿入されている。この場合、表示部３には、データ入力が完了していないこと、その状態で測定処理を開始すること、を測定者に確認する確認表示領域３８が表示される。また、ステップ４０：Ｙｅｓの割り込みは、データ入力が完了した時点で、試験片挿入部１１に試験片８が挿入されることによって実行されてもよい。
【００７３】
患者ＩＤが未入力である状態で開始された測定処理を緊急血糖測定と称する。図１２は、緊急血糖測定によって測定された測定データを、図８に示した状態と同様に、制御部６の指令により表示部３に表示させた状態を示している。制御部６は、表示部３に測定結果表示領域３７を設定し、この測定結果表示領域３７に測定データを比較的大きな数字によって表示させている。本例においては緊急血糖測定であるため、患者ＩＤが未入力である。このため、患者を表示する欄には、「キンキュウカンジャ」の語が表示されており、患者ＩＤは表示されていない。また、血糖値を示す数字の下に、「バーコード未読」の語が表示されている。
【００７４】
この表示状態から、たとえば操作ボタン４による所定の操作を行うことにより、制御部６は、表示部３に図１３に示すメニュー領域３０を表示させる。図示されたメニュー領域３０には、「患者ＩＤ」の項目が表示されている。この項目を選択実行すると、制御部６は、患者ＩＤの入力工程を実行する。この患者ＩＤの入力工程を完了させる際には、好ましい例として、制御部６は、図１４に示す確認表示領域３８を表示部３に表示させる。図９を参照して説明した通り、患者ＩＤが一旦入力されると、それ以降に患者ＩＤの変更が禁止されていることを使用者に理解させるためである。また、測定処理（ステップＳ３０）を終えた後に、図１３および図１４に示す処理を経て患者ＩＤが入力された場合、たとえば、図１２において入力された患者ＩＤと患者名が表示されるとともに、「バーコード未読」の語に代えて「更新済」などの語を表示させてもよい。この場合、当該測定データには、データが更新された旨を示すフラグが付された状態で、記憶部７のデータ領域７２に記憶されることが好ましい。
【００７５】
このような実施形態によれば、データ入力中であっても、試験片挿入部１１に試験片８を挿入することにより、測定者の意思によってデータ入力作業を中断し、測定処理に移行することができる。たとえばＰＯＣＴの現場となる診療所や病院においては、あらかじめ用意された多数の検体の測定を行っている際に、他の検体を緊急で測定すべき事態が生じうる。このような場合に、前記緊急血糖測定として適切に測定を実施することができる。また、データ入力が完了した時点で、測定者が試験片挿入部１１に試験片８を挿入すると、測定処理に移行する。入力完了後に試験片８を挿入する作業は測定者にとって自然な順序であるため、よりスムーズに測定処理を開始することができる。
【００７６】
また、図１２に示すように、「キンキュウカンジャ」の語が表示されていること、患者ＩＤが表示されていないこと、および「バーコード未読」の語が表示されていることから、表示部３に表示された測定データが緊急血糖測定によるものであることを使用者に確実に認識させることができる。
【００７７】
さらに、緊急血糖測定によって測定された測定データについて、図１２〜図１４に示す患者ＩＤの入力処理を測定後に許容されている。これにより、上述した事情によって緊急血糖測定を行わざるを得なかった検体について、正しい患者ＩＤを事後的に登録することができる。
【００７８】
以上に述べた通り、測定装置Ａは、複数の患者を対象とした測定をより適切に行うことが可能に構成されている。さらに、測定装置Ａは、以下に述べる方策を取りうる。
【００７９】
測定装置Ａに入力されたある患者ＩＤに該当する患者名と他の患者ＩＤに該当する患者名とが、同姓同名の関係にあることが想定される。たとえば、図８に示す閲覧表示を表示部３に表示させるために、図４に示す特定患者ＩＤの選択（ステップＳ６１）を図１５に示す患者検索画面にしたがって行う。この際に、同姓同名の患者ＩＤが複数存在することを図１６に示す警告画面を表示部３に表示させることによって、使用者に理解させてもよい。さらに、図１７に示すように、同姓同名の関係にある複数の患者ＩＤのみをリスト表示する画面モードを用意してもよい。
【００８０】
また、測定装置Ａの設定項目として、患者ＩＤに該当する患者名を表示するか否かを選択できる項目を設けてもよい。患者名を表示させることは、使用者である医療従事者が定期的に対面する個々の患者を直感的に把握できるという利点がある。一方、患者名をあえて表示させないことにより、上述した同姓同名の関係にある患者ＩＤに関する煩雑さを回避することができる。患者名を表示させない設定とされた測定装置Ａは、患者ＩＤまたはオーダーＩＤなどのように重複が生じない一意に決定される情報によって複数の測定データを区別する構成であるといえる。
【００８１】
ある測定処理を終えて、次の測定処理を行う際に、複数の属性に帰属するデータをすべて維持することが許容される場合にこれらを維持すれば、データ入力作業に要する時間を短縮することができる。一方、複数の属性に帰属するデータのいずれかを初期化する、あるいはすべてを初期化することにより、誤ったデータを用いてしまうことを防止することができる。
【００８２】
図１８〜図２０は、本発明に係る情報管理装置の一例を示している。本実施形態の情報管理装置Ｂは、表示部３Ｂ、キーボード４Ｂ、ＵＳＢポート５１Ｂ、無線通信部５２Ｂ、制御部６Ｂおよび記憶部７Ｂを備えている。情報管理装置Ｂは、たとえば病院や診療所なに設置された比較的大型かつ多機能の統合測定ステーションやＰＣなどが挙げられ、診療などに関するデータを管理する装置である。本実施形態においては、情報管理装置Ｂは、上述した測定装置Ａによって測定された測定データおよびこれに付随する測定者ＩＤおよび付加的に付随する患者ＩＤ、試験片ＩＤなどのデータを、測定装置Ａから受信し、かつ管理する構成を例として以下に説明する。
【００８３】
表示部３Ｂは、情報管理装置Ｂの動作状況や動作結果などを使用者に視覚的に情報を提供するものであり、たとえばマトリクス状に配置された複数の画素を有する液晶ディスプレイや有機ＥＬディスプレイなどが好適に用いられる。キーボード４Ｂは、使用者が情報管理装置Ｂの動作に対して意思決定を与えるための操作に供する部位である。
【００８４】
ＵＳＢポート５１Ｂおよび無線通信部５２Ｂは、情報管理装置Ｂと測定装置Ａを含む他の機器とのインターフェースを担う部位である。ＵＳＢポート５１Ｂは、ＵＳＢ規格に準拠した有線データ通信を実現するためのポートである。無線通信部５２Ｂは、無線を用いたデータ通信を行うものである。無線の種類は特に限定されないが、本実施形態においては電磁波を利用した無線の近距離データ通信を行うＲＦＩＤが採用された場合を例に説明する。このような例の場合、無線通信部５２Ｂは、たとえばコイルアンテナやドライバＩＣなどを具備している。
【００８５】
制御部６Ｂは、情報管理装置Ｂの動作を制御するためのものであり、典型的にはＣＰＵからなる。制御部６Ｂは、記憶部７Ｂに記憶されたプログラムに基づいて表示部３Ｂ、ＵＳＢポート５１Ｂおよび無線通信部５２Ｂの動作を制御する。また、制御部６Ｂは、キーボード４Ｂからの入力信号を受ける。なお、本実施形態においては、制御部６Ｂが情報管理装置Ｂの主な動作を制御する前提で、以降の説明を行うが、本発明はこれに限定されない。本実施形態において制御部６Ｂが行う機能を、表示部３Ｂなどの各部に備えられた別のＣＰＵなどが実行する構成であってもよい。
【００８６】
記憶部７Ｂは、プログラム領域７１Ｂおよびデータ領域７２Ｂを有しており、たとえばシリコンメモリからなる揮発性メモリや不揮発性メモリが適宜採用される。プログラム領域７１Ｂは、情報管理装置Ｂの動作を実現するプログラムを記憶する領域である。データ領域７２Ｂは、測定に付随するデータを記憶するものである。
【００８７】
次に、情報管理装置Ｂの動作について、以下に説明する。
【００８８】
図２０は、情報管理装置Ｂの動作の一例を示すフローチャートである。同図に示す例においては、データ受信工程（ステップＳ４０Ｂ）、記憶工程（ステップＳ５０Ｂ）、および表示工程（ステップＳ６０Ｂ〜ステップＳ６７Ｂ）を実行する。なお、これらの工程の順序は特に固定されたものに限定されない。以下に述べる各工程における所定の処理が適切に実行される構成であれば、各工程を実行する順序は適宜変更されてもよい。
【００８９】
データ受信工程（ステップＳ４０Ｂ）においては、上述した測定方法などに得られた測定データおよびこれに付随するデータを、測定装置Ａから受信する。この受信処理は、たとえば測定装置ＡのＵＳＢポート５１と情報管理装置ＢのＵＳＢポート５１Ｂとを用いた有線通信、あるいは測定装置Ａの無線通信部５２と情報管理装置Ｂの無線通信部５２Ｂとを用いた無線通信などによって実行される。図１８は、無線通信部５２と無線通信部５２Ｂとによる無線通信を実行している状態を例として示している。データ受信工程においては、様々なデータを受信可能である。本例においては、測定装置Ａによって測定された複数の患者についての複数の測定データと、これらに付随するデータとを受信する。
【００９０】
記憶工程（ステップＳ５０Ｂ）においては、データ受信工程（ステップＳ４０Ｂ）によって受信したデータを、記憶部７Ｂのデータ領域７２Ｂに記憶する。なお、データ受信工程における個々のデータを受信する処理と、記憶工程における個々のデータを記憶する処理とは、交互にあるいは並行して実行してもよい。
【００９１】
次いで、表示工程（ステップＳ６０Ｂ〜ステップＳ６７Ｂ）を実行する。この表示工程の実行は、たとえばキーボード４Ｂを用いた使用者の操作によって開始される。なお、情報管理装置Ｂにおける表示工程（ステップＳ６０Ｂ〜ステップＳ６７Ｂ）は、図４〜図６を用いて説明した測定装置Ａの表示工程と類似しており、共通の処理を多く含む。以下の説明において測定装置Ａの表示工程と同様である事項は適宜省略する。
【００９２】
測定データの閲覧処理が開始されると（ステップＳ６０Ｂ）、制御部６Ｂは、表示部３Ｂに図２１に示す内容を表示させる。この表示を実現するための処理を以下に説明する。なお、ここで説明する複数の処理の実行順などは、説明の便宜として構築された一例である。これらの処理の実行順序が適宜変更されてもよいし、複数の処理が並列して実行されてもよい。
【００９３】
まず、制御部６Ｂは、複数の患者ＩＤから閲覧を希望する患者ＩＤを特定患者ＩＤとして使用者に選択させる（ステップＳ６１Ｂ）。制御部６Ｂは、表示部３Ｂに患者ＩＤ表示領域３７０Ｂを設定する。本例においては、複数の患者ＩＤ表示領域３７０Ｂが上下方向に離間して配置される。次いで、制御部６Ｂは、複数の患者ＩＤ表示領域３７０Ｂのうち特定患者ＩＤに対応するものに、特定患者ＩＤである複数桁の英数字と特定患者ＩＤに該当する患者名とを表示する。一方、特定患者ＩＤ以外の患者に対応する患者ＩＤ表示領域３７０Ｂには、患者名を表示させない。本例においては、特定患者ＩＤ以外の患者に対応する患者ＩＤ表示領域３７０Ｂに、患者ＩＤである複数桁の英数字を表示しているが、これを表示しない構成であってもよい。
【００９４】
次いで、制御部６Ｂは、表示部３に複数の測定データ表示領域３７１Ｂを設定する（ステップＳ６２Ｂ）。測定データ表示領域３７１Ｂは、１つの測定データとしての血糖値を表示しうる領域である。すなわち、測定データ表示領域３７１は、１つの血糖値を使用者が視認可能な態様で表示しうる大きさおよび形を有している。本実施形態においては、複数の測定データ表示領域３７１が、複数の患者ＩＤ表示領域３７０Ｂと交互に配列されている。
【００９５】
次いで、制御部６Ｂは表示すべき複数の測定データの表示を順次行う（ステップＳ６３Ｂ〜Ｓ６６Ｂ）。本例においては、制御部６Ｂは、ある測定データの患者ＩＤが特定患者ＩＤであるかを判定する（ステップＳ６３Ｂ）。当該患者ＩＤが特定患者ＩＤと一致する場合（ステップＳ６３Ｂ：Ｙｅｓ）、制御部６Ｂは、測定データ表示領域３７１Ｂに当該測定データを表示する（ステップＳ６４Ｂ）。一方、当該患者ＩＤが特定患者ＩＤと一致しない場合（ステップＳ６３Ｂ：Ｎｏ）、制御部６Ｂは、測定データ表示領域３７１Ｂに非特定患者表示３７２Ｂを表示する（ステップＳ６５Ｂ）。
【００９６】
制御部６Ｂは、ステップＳ６３Ｂ〜ステップＳ６５Ｂを、表示すべき複数の測定データについて実行する（ステップＳ６６Ｂ：Ｎｏ）。これらの測定データの表示が完了すると（ステップＳ６６Ｂ：Ｙｅｓ）、表示部３Ｂは図２１に示す状態となる。
【００９７】
図２１に例示された閲覧表示の状態にある表示部３Ｂにおいては、６つの測定データ表示領域３７１Ｂが設定されている。この状態から使用者がたとえばキーボード４Ｂを用いた操作を行うことにより、表示部３Ｂの表示をスクロール可能な構成であってもよい。制御部６Ｂは、スクロール表示を実現するために、上述したステップＳ６２Ｂ〜ステップＳ６６Ｂを適宜繰り返し実行する。
【００９８】
また、たとえばキーボード４Ｂの操作によって特定患者ＩＤを変更可能な構成であってもよい。図２２は、特定患者ＩＤを変更した場合の表示部３Ｂを示している。図２１において特定患者ＩＤであった患者ＩＤ表示領域３７０Ｂには、図２２においては、患者名が表示されていない。一方、図２１において患者名が表示されていなかった患者ＩＤ表示領域３７０Ｂには、患者名が表示される。また図２１において特定患者ＩＤであった測定データ表示領域３７１Ｂには、図２２においては、非特定患者表示３７２Ｂが表示される。一方、図２１において非特定患者表示３７２Ｂが表示されていた測定データ表示領域３７１Ｂには、測定データが表示される。なお、本例においては、理解の便宜上、２名の患者の測定データが表示部３Ｂに表示されている場合を示しているが、３名以上の患者の測定データが表示部３Ｂに表示されていてもよいことは、もちろんである。
【００９９】
このような実施形態によっても、複数の測定データ表示領域３７１Ｂが設定された表示部３Ｂにおいて、いずれの測定データ表示領域３７１Ｂが注目すべき特定患者ＩＤのものであり、いずれの測定データ表示領域３７１Ｂが注目を必要としない患者ＩＤのものであるかを、ひと目で理解することができる。特に、情報管理装置Ｂの表示部３Ｂは、測定装置Ａの表示部３と比較して相対的に表示面積が大きい。このため、情報管理装置Ｂにおいては、図２１および図２２に示したように、個々の測定データについて、患者ＩＤ表示領域３７０Ｂを設定表示する構成を取りうる。このような場合に、患者ＩＤ表示領域３７０Ｂにおいて特定患者ＩＤ以外の患者ＩＤに該当する患者名を表示しない構成により、注目すべき特定患者ＩＤの測定データをより速やかに一覧できるという効果を奏する。
【０１００】
また、この場合にも、測定データ表示領域３７１Ｂに測定日時や測定時間帯を表示することにより、注目している測定データが測定された時間や状況を的確に把握することができる。また、特に、非特定患者表示３７２Ｂが表示された測定データ表示領域３７１Ｂにも測定日時を表示することは、たとえば、ユーザーが、特定患者ＩＤの測定データに注目しつつ、当該測定データと近接する日時に測定された別の患者の測定データが存在することなどを速やかに把握することができる点で、有用である。また、複数の測定データ表示領域３７１Ｂを時系列で表示することは、複数の測定データを漏れ無く確認するのに都合がよい。
【０１０１】
なお、情報管理装置Ｂにおいては、図２３に示す表示形態を採用してもよい。この表示形態は、図５および図６と同様に、一つの患者ＩＤ表示領域３７０Ｂのみが設定され、この患者ＩＤ表示領域３７０Ｂに特定患者ＩＤに該当する患者名が表示されている。さらに、情報管理装置Ｂは、図７に示した特定患者ＩＤの測定データのみを表示するモードを実行してもよい。
【０１０２】
本発明に係る測定装置、情報管理装置、測定方法および情報管理方法は、上述した実施形態に限定されるものではない。本発明に係る測定装置、情報管理装置、測定方法および情報管理方法の具体的な構成は、種々に設計変更自在である。
【符号の説明】
【０１０３】
Ａ      測定装置
Ｂ      情報管理装置
１      測定部
１１      試験片挿入部
２      バーコード読み取り部
３，３Ｂ      表示部
４      操作ボタン
４１      方向ボタン
４２      方向ボタン
４３      決定ボタン
４Ｂ      キーボード
５１，５１Ｂ      ＵＳＢポート
５２，５２Ｂ      無線通信部
６，６Ｂ      制御部
７，７Ｂ      記憶部
７１，７１Ｂ      プログラム領域
７２，７２Ｂ      データ領域
８      試験片
８１      電極８２      点着部
３３      入力データ表示領域
３７      測定結果表示領域
３７０      特定患者ＩＤ表示領域
３７０Ｂ    患者ＩＤ表示領域
３７１，３７１Ｂ      測定データ表示領域
３７２，３７２Ｂ      非特定患者表示
３０      メニュー領域
３８      確認表示領域
【図１】
2015165365.tif 000003
【図２】
2015165365.tif 000004
【図３】
2015165365.tif 000005
【図４】
2015165365.tif 000006
【図５】
2015165365.tif 000007
【図６】
2015165365.tif 000008
【図７】
2015165365.tif 000009
【図８】
2015165365.tif 000010
【図９】
2015165365.tif 000011
【図１０】
2015165365.tif 000012
【図１１】
2015165365.tif 000013
【図１２】
2015165365.tif 000014
【図１３】
2015165365.tif 000015
【図１４】
2015165365.tif 000016
【図１５】
2015165365.tif 000017
【図１６】
2015165365.tif 000018
【図１７】
2015165365.tif 000019
【図１８】
2015165365.tif 000020
【図１９】
2015165365.tif 000021
【図２０】
2015165365.tif 000022
【図２１】
2015165365.tif 000023
【図２２】
2015165365.tif 000024
【図２３】
2015165365.tif 000025